(57)【要約】【課題】設置作業が容易であり、かつ倒れにくい屋外用収納棚を提供することである。【解決手段】屋外用収納棚１０は、玄関先の屋外に設置される屋外用収納棚であって、複数の直線部を含んで形成される枠体と、枠体の上下方向複数位置に配置される複数の棚板と、枠体の側方を覆う化粧パネルと、を含む。枠体は溝２０ａを有し、溝２０ａには建物の構造躯体に取り付けるための固定具がスライド可能に挿入される。固定具は、構造躯体１００ａに対し連結具６０により、構造躯体１００ａの下地補強位置で連結される。【選択図】図６
2020197024.tif 000002
【特許請求の範囲】
【請求項１】
玄関先の屋外に設置される屋外用収納棚であって、
複数の直線部を含んで形成される枠体と、
前記枠体の上下方向複数位置に配置される複数の棚板と、
前記枠体の側方を覆う化粧パネルと、を備え、
前記枠体は溝を有し、前記溝には建物の構造躯体に取り付けるための固定具がスライド可能に挿入され、
前記固定具は、前記構造躯体に対し連結具により、前記構造躯体の下地補強位置で連結される、
屋外用収納棚。
【請求項２】
請求項１に記載の屋外用収納棚において、
前記連結具は、ワイヤーと、前記ワイヤーに連結され、前記構造躯体の前記下地補強位置に固定可能な金具とを含んで構成される、
屋外用収納棚。
【請求項３】
請求項１に記載の屋外用収納棚において、
前記固定具は、Ｔ字形の突っ張り金具であり、
前記連結具は、前記突っ張り金具の軸部の一端が固定され、ネジにより前記構造躯体の前記下地補強位置に固定可能な固定部材を含んで構成される、
屋外用収納棚。
【発明の詳細な説明】
【技術分野】
【０００１】
本開示は、玄関先の屋外に設置される屋外用収納棚に関する。
【背景技術】
【０００２】
従来から、特許文献１に記載されているように、住宅の玄関先に設置される収容ボックス付き支柱が記載されている。この支柱は、２つの板状の柱部が直交するように連結され、その上端と下側とに天板及びベース部が連結されている。そして、２つの柱部に挟まれるようにハウジング、郵便ポスト、宅配ボックスが上下に並んで支持されている。支柱は下端部が地中に埋設されている。
【先行技術文献】
【特許文献】
【０００３】
【特許文献１】特開２０１９−０００３２５号公報
【発明の概要】
【発明が解決しようとする課題】
【０００４】
特許文献１に記載された構成では、支柱が地中に埋設されるので、設置作業に手間を要する。特に、埋設位置のコンクリート等の基礎部が完成した後で支柱を設置する場合には、基礎部に穴を形成する等、埋設のための作業の手間が大きくなる。
【０００５】
本開示の目的は、設置作業が容易であり、かつ倒れにくい屋外用収納棚を提供することである。
【課題を解決するための手段】
【０００６】
本開示の屋外用収納棚は、玄関先の屋外に設置される屋外用収納棚であって、複数の直線部を含んで形成される枠体と、枠体の上下方向複数位置に配置される複数の棚板と、枠体の側方を覆う化粧パネルと、を備え、枠体は溝を有し、溝には建物の構造躯体に取り付けるための固定具がスライド可能に挿入され、固定具は、構造躯体に対し連結具により、構造躯体の下地補強位置で連結される、屋外用収納棚である。
【発明の効果】
【０００７】
本開示に係る屋外用収納棚によれば、枠体の側では、溝に固定具をスライドさせることにより、枠体が、連結具を介して構造躯体の下地補強位置で連結された構造を実現できる。これにより、収納棚の設置作業が容易であり、かつ倒れにくい構造を実現できる。
【図面の簡単な説明】
【０００８】
【図１】実施形態の屋外用収納棚の設置状態の１例を示す斜視図である。
【図２】図１に示す屋外用収納棚において脚部を省略して示す斜視図である。
【図３】図１に示す屋外用収納棚において、一部を省略し、一部の棚板を取り付ける直前の状態であって、鍵付き扉を開いている状態を示す図である。
【図４】一部を省略して示している図３のＡ部拡大図である。
【図５】図４のＣ−Ｃ断面図である。
【図６】実施形態において、枠体の溝に固定具をスライドさせ、固定具を連結具により構造躯体に連結する状態を、一部を切断して示す図である。
【図７】別例の２例の化粧パネルを示す斜視図である。
【図８】実施形態の別例の屋外用収納棚の設置状態の１例を示す斜視図である。
【図９】実施形態の別例において、枠体の溝に固定具をスライドさせ、固定具を連結具により構造躯体に連結する状態を示す図である。
【図１０】複数の収納棚を連結する状態の１例において、化粧パネルを省略して示す斜視図である。
【発明を実施するための形態】
【０００９】
以下、図面を用いて本開示の実施形態を説明する。以下で説明する形状、材料及び個数は、説明のための例示であって、屋外用収納棚の仕様に応じて適宜変更することができる。以下ではすべての図面において同等の要素には同一の符号を付して説明する。また、本文中の説明においては、必要に応じてそれ以前に述べた符号を用いるものとする。
【００１０】
図１は、実施形態の屋外用収納棚１０の設置状態の１例を示す斜視図である。図２は、屋外用収納棚１０において脚部９０（図３）を省略して示す斜視図である。図３は、屋外用収納棚１０において、一部を省略し、一部の棚板３０を取り付ける直前の状態であって、前側扉３１を開いている状態を示す図である。図４は、一部を省略して示している図３のＡ部拡大図である。図５は、図４のＣ−Ｃ断面図である。図６は、実施形態において、枠体１２の後側端の柱部２０の溝２０ａに第１固定具５０をスライドさせ、第１固定具５０を連結具６０により構造躯体１００ａに連結する状態を、一部を切断して示す図である。
【００１１】
図１に示すように、屋外用収納棚１０は、住宅等の建物１００の玄関先の屋外に設置される。本例では、屋外用収納棚１０は、例えば玄関先の壁１０１に近接して設置される。以下では屋外用収納棚１０を収納棚１０と記載する場合がある。また、以下では、収納棚１０の被収納物の取り出し方向であり開口９１がある前側をＦ、その反対側である後側をＢで示し、前側Ｆから見た右側、左側をＲ，Ｌで示す場合がある。
【００１２】
後述するように、収納棚１０は、後側Ｂ端で、建物１００の構造躯体１００ａ（図６）に対し、固定具５０（図６）と連結具６０とにより、壁１０１の外壁パネル１０２の裏側で構造躯体１００ａの下地補強位置である間柱１０６（図６）で連結される。
【００１３】
図２に示すように、収納棚１０には、例えば被収納物として、郵便ポスト１０３、及び宅配ボックス１０４が収納される。図２では、郵便ポスト１０３の投函口１０３ａが、収納棚１０の左側Ｌ端の化粧パネル４０に形成された開口４１から露出している。また、その化粧パネル４０の外側にはインターフォン１０５が取り付けられている。宅配ボックス１０４は、略直方体状であり、宅配荷物を無人で受け取り可能である。宅配ボックス１０４は、宅配業者が内部の荷物室に荷物を入れた状態で扉が施錠される。収納棚１０を所有する等の、建物の住人である荷物の受取人は、宅配ボックス１０４の扉に配置された鍵穴部に鍵を入れて解錠することで、扉を開放し、荷物を取り出すことが可能である。本例では、収納棚１０の最下端の後述の棚板３０上に宅配ボックス１０４が設置されることにより、宅配ボックス付き収納棚が形成される。
【００１４】
収納棚１０は、枠体１２と、複数の棚板３０と、２つの化粧パネル４０と、前側扉３１とを含んで構成される。図１では、棚板３０、化粧パネル４０及び前側扉３１の図示を省略している。枠体１２は、複数の直線部を含んで形成される直方体状である。具体的には、図３に示すように、枠体１２は、四隅に配置された４本の上下方向に延びる柱部１４、２０と、４本の柱部１４、２０の上下方向の２つの位置を連結し水平方向に延びる複数の連結部１８とを有する。柱部１４、２０及び連結部１８は直線部に相当する。図３に示す前側Ｆ端の２つの柱部１４は、図４に示すように上下方向に長尺な直方体の長手方向に沿う中心軸周りの４つの側面のそれぞれの幅方向中央に、上下方向に延びる溝１４ａ、１４ｂ、１４ｃ、１４ｄが形成されている。図３に示す後側Ｂ端の２つの柱部２０は、図６に示すように上下方向に長尺な直方体の長手方向に沿う中心軸周りの４つの側面のそれぞれの幅方向中央に、上下方向に延びる溝２０ａ、２０ｂ、２０ｃ、２０ｄが形成されている。柱部２０の中心部には上下方向の貫通孔２１が形成され軽量化が図られている。さらに、柱部２０の溝の幅方向両側の開口端には、上下方向全長にわたって幅方向内側に延びる鍔部２２が形成される。これにより後述のようにＴ字形の第１固定具５０（図６）を挿入したときに溝２０ａ、２０ｂ、２０ｃ、２０ｄ内での第１固定具５０の頭部５１ｂ（図６）のスライドを可能とするとともに、溝からの頭部５１ｂの抜け防止が図られる。なお、枠体１２の前側Ｆ端の２つの柱部１４において、図６の柱部２０と同様に鍔部を有する形状とすることもできる。
【００１５】
一方、図４、図５に示すように、連結部１８は、水平方向に長尺な直方体の長手方向に沿う中心軸周りの４つの側面のそれぞれの幅方向中央に、水平方向に延びる溝１８ａ、１８ｂ、１８ｃ、１８ｄが形成されている。
【００１６】
図３の上側の４本の連結部１８は、４本の柱部１４、２０の上端部を矩形の枠状に連結している。下側の４本の連結部１８は、４本の柱部１４、２０の下端部を矩形の枠状に連結している。これにより、枠体１２は直方体の各辺からなるような形状となっている。柱部１４、２０及び連結部１８は、それぞれ鉄、アルミニウム合金等の金属により形成される。枠体１２の軽量化と強度確保を図る面からは枠体１２の各部はアルミニウム合金等の軽量な金属により形成することが好ましい。枠体１２の下端の四隅には、脚部９０（図３）が連結される。
【００１７】
図２に示すように、枠体１２の右側Ｒ端及び左側Ｌ端には、２つの格子状の化粧パネル４０が取り付けられる。これにより、枠体１２の両側の側方が２つの化粧パネル４０により覆われる。化粧パネル４０は、上下両端に配置されて横方向に延びる２つの支持部（図示せず）と、２つの支持部の外側に連結された複数の格子要素４４とを有する。格子要素４４は、上下方向に延びる断面矩形の柱状であり、複数の格子要素４４は、略等間隔で平行に配置される。格子状の化粧パネル４０を用いる場合、風が当たっても風の多くを格子要素４４間の隙間を通じて収納棚１０を通過させることができる。これにより、風による収納棚１０の転倒の可能性を低くできる。
【００１８】
枠体１２の右側Ｒ及び左側Ｌの両端外側の一部または上下方向複数位置に、水平方向（前後方向）に延びる枠体バー（図示せず）が取り付けられてもよい。この枠体バーに化粧パネル４０が取り付けられてもよい。
【００１９】
図２では４つの棚板３０が枠体１２の内側の上下方向に離れた４つの位置に固定するように配置される。棚板３０は４つに限定せず２つまたは３つまたは５つ以上としてもよい。棚板３０には被収納物が設置可能である。棚板３０は、鉄、アルミニウム合金等の金属により形成される。
【００２０】
なお、図４と異なり、上側、下側のそれぞれの連結部１８のみで矩形の枠を形成し、柱部１４の上端及び下端をそれぞれの枠の下端及び上端に連結することで枠体を形成してもよい。
【００２１】
さらに、図２に示すように、前側扉３１は、最上端の棚板３０の上側にある内部空間１２０の前側を塞いでいる。例えば前側扉３１は、上下両端で横方向に延びる直線状の支持部（図示せず）の外側に複数の格子要素３１ａが固定される。格子要素３１ａは、上下方向に延びる断面矩形の柱状であり、複数の格子要素３１ａは、略等間隔で平行に配置される。前側扉３１の支持部及び格子要素３１ａは、アルミニウム合金等の金属により形成される。
【００２２】
前側扉３１は、枠体１２の前側Ｆ端において、内部空間１２０の前方を覆うように取り付けられる。図４に示すように、前側扉３１は、右側Ｒ端部で例えばヒンジ等により枠体１２に支持されることにより、枠体１２に対し内部空間１２０の前方を開閉可能に取り付けられる。これにより、前側扉３１は、収納棚１０において側方に直交する方向の一方側である前方を覆うように上下方向の一部に取り付けられる。前側扉３１の内側の内部空間１２０（図２）には、図３に示すように分電盤４６や屋外コンセント４８等の通常触られたくない機器が設置されてもよい。なお、前側扉３１は省略してもよい。
【００２３】
上記の収納棚１０は、図１、図６に示すように壁１０１の裏側の構造躯体１００ａ（図６）に、４つの連結位置で連結される。このために、収納棚１０は、４つの連結位置に応じて図６に示す第１固定具５０と連結具６０とを、４つずつ備える。第１固定具５０は、建物１００の構造躯体１００ａに取り付けるための金具であり、Ｔ字形の本体部５１と、本体部５１に固定されたリング部５２とを有する。本体部５１は、軸部５１ａと、軸部５１ａの先端に固定され、軸部５１ａの直径より幅方向（図６の左右方向）の張り出し長さが大きくなった頭部５１ｂとを有する。軸部５１ａの直径は、柱部２０の対向する鍔２２の間隔より小さいが、頭部５１ｂの張り出し長さはこの間隔より大きい。これにより、第１固定具５０は、鍔２２の間に軸部５１ａを貫通させ頭部５１ｂを溝２０ａ内に配置した状態で、溝２０ａにスライド可能に挿入される。
【００２４】
連結具６０は、無端ループ状に形成されたワイヤー６１と、ワイヤー６１に連結された金具である第２固定具６２とを含む。第２固定具６２は、第１固定具５０の頭部５１ｂがない形状と同様である。ワイヤー６１が、第１固定具５０のリング部５２と、第２固定具６２のリング部６３とに通されることにより、第１固定具５０と第２固定具６２とがワイヤー６１で連結される。第２固定具６２の軸部６４には、構造躯体１００ａに結合するためのネジ部が形成される。これにより、第２固定具６２は、構造躯体１００ａの下地補強位置にねじ込みによって固定可能である。そして、第１固定具５０は、構造躯体１００ａに対し連結具６０により、構造躯体１００ａの下地補強位置で連結される。
【００２５】
収納棚１０の設置時には、設置作業者が、収納棚１０において第１固定具５０と連結具６０とを除く部分を、壁１０１の外壁パネル１０２に接近して屋外に配置する。この状態で、後側端の２つの柱部２０において後端面に形成された溝２０ａに、上端から２つずつ第１固定具５０の頭部５１ｂを順に挿入して下側にスライドする。そして、所望の取り付け位置で、それぞれの第２固定具６２のネジ部を、外壁パネル１０２とその裏側の外壁下地である胴縁１０７とに貫通させてその裏側の間柱１０６にねじ込んで結合する。取付位置は、第２固定具６２の取り付け作業のしやすさや、構造躯体１００ａを構成する間柱１０６の下地補強位置の状況を考慮して設定することができる。この作業を、後側端の左右両側２つの柱部２０について行って、横方向に離れた２つの間柱１０６に対し、２つずつの連結具６０により、２つずつの第１固定具５０を下地補強位置で連結する。
【００２６】
上記の収納棚１０によれば、枠体１２の側では、溝２０ａに第１固定具５０をスライドさせることにより、枠体１２が、連結具６０を介して構造躯体１００ａの下地補強位置で連結された構造を実現できる。これにより、収納棚１０の設置作業が容易であり、かつ倒れにくい構造を実現できる。また、特許文献１に記載された構造と異なり、収納棚１０の下端部を地中に埋設する必要がない。さらに、溝２０ａに対する第１固定具５０のスライド位置を調整することにより、構造躯体１００ａに対する連結位置を上下方向に調整できる。
【００２７】
図７は、別例の２例の化粧パネル７０，７２を示す斜視図である。図７（ａ）の化粧パネル７０は、板状部材の外面に模様が描かれたり、凹凸が形成された外装材により形成される。図７（ｂ）の化粧パネル７２は、アルミニウム等の金属板の複数位置に全体的に分散して穴７３が形成されたパンチングメタルにより形成される。化粧パネルは外面が無地の平坦な板材から形成されてもよい。上記の図１〜図６に示した構成では、２つの格子状の化粧パネル４０の一方または両方の代わりに、図７（ａ）または図７（ｂ）またはその他の化粧パネル７０，７２が用いられてもよい。
【００２８】
図８は、実施形態の別例の収納棚１０ａの設置状態の１例を示す斜視図である。図９は、実施形態の別例において、枠体１２の連結部８０の溝８０ａに突っ張り金具９２をスライドさせ、突っ張り金具９２を連結具９６により庇１０８に連結する状態を示す図である。
【００２９】
本例の収納棚１０ａは、上端部で前後の両端に位置する２本の連結部８０にスライドして挿入された突っ張り金具９２と、連結具９６とによって、建物１００の構造躯体である庇１０８に対し庇１０８の下地補強位置である桟１０９で連結される。突っ張り金具９２は固定具に相当する。庇１０８は、玄関先で外側に突出する。桟１０９は、庇１０８の裏側（下側）に固定される。具体的には、枠体１２の前後両端２本の連結部８０の長手方向両端位置に、左右方向両端２本の連結部１８が連結されて矩形の枠状部材が形成される。前後両端の２本の連結部８０の形状は、図６の柱部２０と全長が異なる以外は同様である。具体的には、連結部８０は、図９に示すように水平方向に長尺な直方体の長手方向に沿う中心軸周りの４つの側面のそれぞれの幅方向中央に、水平方向に延びる溝８０ａ、８０ｂ、８０ｃ、８０ｄが形成されている。連結部８０の溝の幅方向両側の開口端には、水平方向全長にわたって幅方向内側に延びる鍔部８２が形成される。
【００３０】
さらに、収納棚１０ａは、２本の連結部８０それぞれ２つの連結位置に応じて、図９に示す突っ張り金具９２と連結具９６とを、４つずつ備える。突っ張り金具９２は、収納棚１０ａを庇１０８に取り付けるためのＴ字形の金具である。突っ張り金具９２は、軸部９３と、軸部９３の先端に固定され、軸部９３の直径より幅方向の張り出し長さが大きくなった頭部９４とを有する。軸部９３には連結具９６に固定するためのネジ部が形成される。
【００３１】
連結具９６は、固定部材９７と、ネジ９８とを含む。固定部材９７は、長尺矩形状の板部９７ａの長手一端部から厚み方向に筒部９７ｂが突出する。板部９７ａの長手方向他端部には穴９７ｃが形成される。穴９７ｃにネジ９８が貫通され、そのネジ９８が庇１０８の裏側の桟１０９にねじ込まれることで連結具９６が桟１０９に固定可能である。連結具９６が桟１０９に固定された状態で、筒部９７ｂは、下側に突出する。筒部９７ｂにはネジ孔が形成され、そのネジ孔に突っ張り金具９２の軸部９３がねじ込まれることで、軸部９３の一端が固定される。この状態で突っ張り金具９２の頭部９４が前後方向に延びた状態で下端に配置される。そして、突っ張り金具９２は、庇１０８に対し連結具９６により、庇１０８の下地補強位置である桟１０９で連結される。
【００３２】
収納棚１０ａの設置時には、予め上記のように突っ張り金具９２が固定された４つの連結具９６の板部９７ａをネジ９８で庇１０８の横方向に離れた２つの桟１０９に固定する。このとき、４つの突っ張り金具９２のうち、２つの突っ張り金具９２は、庇１０８の先端側に横方向に分かれて配置し、残りの２つの突っ張り金具９２は、先端側の２つの突っ張り金具９２より壁１０１側に、横方向に分かれて配置する。そして、設置作業者が収納棚１０ａにおいて突っ張り金具９２と連結具９６とを除く部分を、屋外で庇１０８の下側に配置する。この状態で、前後両端の２つの連結部８０において上端面に形成された溝８０ａに、長手方向一方側からそれぞれ２つずつの突っ張り金具９２の頭部９４を挿入して左右方向にスライドするように、収納棚１０ａを左右方向に移動させて、所望の設置位置に設置する。これにより、４つの突っ張り金具９２が、庇１０８に対し連結具９６により、下地補強位置で連結される。
【００３３】
本例の構成の場合も、図１〜図８の構成と同様に、枠体１２の側では、溝８０ａに突っ張り金具９２をスライドさせることにより、枠体１２が、連結具９６を介して構造躯体の下地補強位置で連結された構造を実現できる。これにより、収納棚１０ａの設置作業が容易であり、かつ倒れにくい構造を実現できる。本例の場合は、突っ張り金具９２で枠体１２が支持されるので、図１〜図８の構成のようにワイヤー６１（図６）で支持する場合に比べて倒れにくくなる。また、収納棚１０ａを壁１０１から離れて配置できる。このため、玄関の扉１１０に対向させて庇１０８の下側に収納棚１０ａを設置することができる。この場合には、収納棚１０ａに対し、扉１１０を開放した場合において道路側からの目隠しの機能を持たすことができる。さらに、連結具９６の取り付け位置を調整することにより、庇１０８に対する連結位置を容易に調整できる。本例においてその他の構成及び作用は、図１〜図８の構成と同様である。
【００３４】
図１〜図８の構成において、壁１０１に収納棚１０を接近させて、本例の突っ張り金具９２と連結具９６とで、収納棚１０を構造躯体の下地補強位置に連結することもできる。逆に、本例のように、庇１０８の下側に収納棚１０ａを配置して、図１〜図８の第１固定具５０（図６）と連結具６０（図６）とによって、収納棚１０ａを庇１０８の下地補強位置に連結することもできる。
【００３５】
図１０は、複数の収納棚を連結する状態の１例において、化粧パネル４０（図１）を省略して示す斜視図である。図１０に示すように、収納棚の枠体１２は横方向に複数個を１列に連結することにより、横方向に長い収納棚を形成することができる。このとき、横方向に隣り合う化粧パネルを連結してもよいが、各収納棚の枠体１２で前側Ｆ端及び後側Ｂ端の連結部１８、８０の下端に柱部１４、２０の上端または下端を連結し、前側Ｆ端及び後側Ｂ端の連結部１８、８０の両端を化粧パネルより側方に突出させ、隣り合う収納棚で対向する連結部１８、８０の端部を連結してもよい。このとき、前側Ｆ端及び後側Ｂ端の連結部１８、８０の長手方向両端面に凹部または凸部を形成し、対向する連結部１８、８０で凹凸嵌合させてもよい。このように横長の収納棚を形成した場合、図８、図９に示した構成において、上記のように扉１１０（図８）の前側に対向させて配置した場合の目隠しの機能を高くできる。
【００３６】
また、照明装置を構成する直線状の導光棒５３を枠体１２の下端の連結部１８と一部の棚板３０とに形成した溝に配置してもよい。導光棒５３は、アクリル樹脂等の透光性を有する樹脂材料またはガラス等から形成される。これにより、導光棒５３が収納棚に固定されると共に、導光棒５３が収納棚の外側または内側に大きく突出することを抑制できる。導光棒５３の一端には発光ダイオード等を有する光源（図示せず）を対向させて導光棒５３を全体的に発光させることができる。光源は白熱電球等としてもよい。光源を連結部１８及び棚板３０の溝に配置することで枠体１２に固定してもよい。
【００３７】
上記では、枠体１２の両側の側方が化粧パネルにより覆われる場合を説明した。一方、枠体１２の側方及びこの側方に直交する後方のみを化粧パネルにより覆ったり、枠体１２の側方の一方側端のみに化粧パネルを取り付けてもよい。
【００３８】
上記では、枠体の柱部１４、２０及び連結部１８、８０は、四面に溝が形成された構成を説明したが、溝は、柱部及び連結部の一部の面だけに形成されてもよく、また、一部の柱部及び連結部は、全ての面に溝がない形状としてもよい。
【符号の説明】
【００３９】
１０，１０ａ  屋外用収納棚（収納棚）、１２  枠体、１４  柱部、１４ａ，１４ｂ，１４ｃ，１４ｄ  溝、１８  連結部、１８ａ，１８ｂ，１８ｃ、１８ｄ  溝、２０  柱部、２０ａ，２０ｂ，２０ｃ，２０ｄ  溝、３０  棚板、３１  前側扉、４０  化粧パネル、４６  分電盤、４８  屋外コンセント、５０  第１固定具、６０  連結具、６１  ワイヤー、６２  第２固定具、８０  連結部、８０ａ，８０ｂ，８０ｃ、８０ｄ  溝、９２  突っ張り金具、９６  連結具、１００  建物、１０１  壁、１０２  外壁パネル、１０６  間柱、１０８  庇、１０９  桟、１１０  扉。
【図１】
2020197024.tif 000003
【図２】
2020197024.tif 000004
【図３】
2020197024.tif 000005
【図４】
2020197024.tif 000006
【図５】
2020197024.tif 000007
【図６】
2020197024.tif 000008
【図７】
2020197024.tif 000009
【図８】
2020197024.tif 000010
【図９】
2020197024.tif 000011
【図１０】
2020197024.tif 000012